(57)【要約】【課題】  洋式便器の便槽の縁は、小水で汚れている場合が多いので、誰もが、洋式便便器の便座の開閉の際に、間違って指を深く入れて、指が汚れた便槽の縁に触ってしまう場合がある。  このような、不潔な事態を防ぐことが、本器具の課題です。【解決手段】  便座の前面に、便座開閉の取手として板状の突起「図１」「符号２」を、弾性のある紐または帯で、便座に巻き締めて、便座を開閉すれば、汚れた便槽の縁に、指が触らないで済む。【選択図】  図１
2006280876.tif 000002
【特許請求の範囲】
【請求項１】
既製の洋式便器の、便座を掴む部分の前面に、便座開閉の為の取手として、板状の小突出物「図１」「符号２」を、弾性のある帯または紐で、便座に巻き締め付けて、締め付けの連結部は、ネジまたは鍵状の引っ掛けで固定する。
【発明の詳細な説明】
【技術分野】
【０１】  洋式便器の便座の開閉に際して、便座を掴む手指が深く入って、指先が汚れた便槽の縁に触る場合があるので、便座を掴む部分に、「図１」「符号２」に示す板状の取手を付けて、便座の開閉をする工夫をした。
【背景技術】
【０２】  便座の開閉に当たっては、誰も手の汚れを気にしながら開閉しているので、誰もが清潔感をもって、便座の開閉ができるような取手を考案した。
【発明の開示】
【発明が解決しようとする課題】
【０３】  洋式便器の便槽の縁は、小水で汚れている場合が多いので、誰もが、洋式便器の便座の開閉の際に、間違って指を深く入れて、指が便槽の縁に触ってしまう場合がある。
このような、不潔な事態を防ぐことが、本器具の課題です。
【課題を解決するための手段】
【０４】  便座の前部に、取手として板状の突起物を、弾性のある紐または帯で、便座に巻き締めて、便座の開閉をすれば、汚れた便槽の縁に指が触らないで済みます。
便座下面に取手を付ける場合は、指が奥深く入らないように、取手の奥の下面に、指が突き当たる突起部分を付けると良い。
【発明の効果】
【０５】  本器具の使用で、洋式トイレの便座使用に際して、清潔の安心感が生まれる。
【発明を実施するための最良の形態】
【０６】  便座に腰を掛けたとき、便座開閉の取手が邪魔にならない程度の大きさにする。
便座の開閉によるショックで、取り付けが揺るまないように、緊締する帯状又は紐状の材料は、固い弾性が必要です。
清掃、清潔の為に、便座を緊締する素材は、強い弾性のあるプラスチックか、硬質ゴムの紐又は板が適当である。
【実施例】
【０７】  便座の厚さと大きさは、製造メーカーによって異なるから、便座を緊締する材料は長めの材料を使い、器具設置後の余分は、再度、締め直す場合を考慮して、突出部を切らないで残す方が良い。
【図面の簡単な説明】
【０８】
【図１】  紐巻きネジ止め式の、便座開閉用取手を付けた、便座の上面図。
【図２】  同上の下面図。
【図３】  同上の側面図。
【図４】  強い弾性のある、紐状の材料で便座を巻いて、紐を４点のネジで押え止めした、便座開閉取手の上面図。
【図５】  同上の下面図。
【図６】  同上の前面図。
【図７】  同上の背面図。
【図８】  同上の側面図。
【図９】  同上の「符合２」本体の裏側から見た立体図。
【図１０】  同上の紐を押えて止める円形板。
【図１１】  同上の紐を押えて止める角形板。
【図１２】  同上を裏面から見た立体図。
【図１３】  「図１０」の側面図。
【図１４】  「図１２」の側面図。
【図１５】  紐状の材料で便座を巻いて、「符号２１」の鍵型で引っ掛け止めした、便座開閉取手の上面図。
【図１６】  同上の下面図。
【図１７】  同上の前面図。
【図１８】  同上の背面図。
【図１９】  同上の側面図。
【図２０】  同上の「符合２」本体の下面から見た立体図。
【図２１】  同上のＡ〜Ｂの垂直断面図。
【図２２】  同上の「符合１７」の可動引っ掛け部の立体図。
【図２３】  同上のＢ〜Ｃの垂直断面図。
【図２４】  同上の「符合１７」を、「符合２」本体の「符合２１」に引っ掛ける為に、「符合２６」のネジを、「符合２０」のネジ穴にネジ込んで、「符合１７」の取手として使い、「符合２」本体の「符合２１」に引っ掛ける為の、「符号１７」の取手用の棒器具。
【図２５】  弾性のある板状の材料を便座に巻いて、ネジで押え止めした、便座開閉取手の上面図。
【図２６】  同上の下面図。
【図２７】  同上の前面図。
【図２８】  同上の背面図。
【図２９】  同上の側面図。
【図３０】  板状に巻いた帯を、押え止める円板。
【図３１】  便座支えの突起が低い場合は、器具が便槽の上部に当たるから、器具の位置を持ち上げる為、便座の支えの突起の下に張る薄い板。
【符号の説明】
【０９】    １  便座。
２  便座開閉取手と本体。
３  取手を便座に巻締める、弾性のある紐。
４  取手を掴み良くする為の穴。
５  紐を巻き止める円板。
６  下側の紐を固定する板。
７  上側の紐を固定する板。
８  便座支え突起
９  『符号６〜７」を取り付ける、「符号２」本体と同体の台座。
１０  紐の抜け留めの輪。
１１  紐の余剰部分を止める、円板取り付けのネジ穴。
１２  「符号６〜７」を取り付ける溝。
１３  上記のネジ穴。
１４  「符号３」の紐を通す穴。
１５  「符号６〜７」で紐を押える時、紐の固定を良くするための、溝と突起。
１６  「符号２」の本体と同体の、「符号２１」の引っ掛け部の補強部分。
１７  紐を伸して引っ掛け止めする可動体。
１８  同上の挿入部。
１９  「符号２４」に紐を通した時、紐の抜けを止めるネジ。
２０  同上を「符号２」本体の「符号２１」に引っ掛ける為の、棒を取れつける為のネジ穴。
２１  「符号１７」の「符号２１」を引っ掛ける部分。
２２  「符号１７」の「符号２１」を、入れやすくする為の角穴。
２３  「符号２」本体の低面。
２４  「符号３」の紐を通す穴。
２５  「符号１７」を「符号２」本体の「符号２１」に、引っ掛ける為の取手として、「符号１７」にネジ込んで使う棒。
２６  同上のネジ部。
２７  「符号２８」の折り合わせ部。
２８  便座開閉用取手を、弾性のある帯状の材料で、便座に巻き締めた部分。
２９  同上が便座開閉用取手から、抜けないように、二つ折部に入れた細い棒。
３０  「符号２８」に溝を入れて、二条にした末端を、引っ張り易くした、折り畳み部分。
３１  同上の止め金具。
３２  「符号２８」の帯を、便座に巻き諦めて、押え止めする円板。
３３  同上の止めネジ。
３４  便座裏の便座の支点突起に張って、便座開閉用取手の高さを、調整する為の軟質プラスチック板と、そこに塗布されて粘着剤。
３５  同上の、粘着剤を覆う紙。
３６  取手を手で掴んだ時、指が深く入らない為の、突き当ての突起部分。
【図１】
2006280876.tif 000003
【図２】
2006280876.tif 000004
【図３】
2006280876.tif 000005
【図４】
2006280876.tif 000006
【図５】
2006280876.tif 000007
【図６】
2006280876.tif 000008
【図７】
2006280876.tif 000009
【図８】
2006280876.tif 000010
【図９】
2006280876.tif 000011
【図１０】
2006280876.tif 000012
【図１１】
2006280876.tif 000013
【図１２】
2006280876.tif 000014
【図１３】
2006280876.tif 000015
【図１４】
2006280876.tif 000016
【図１５】
2006280876.tif 000017
【図１６】
2006280876.tif 000018
【図１７】
2006280876.tif 000019
【図１８】
2006280876.tif 000020
【図１９】
2006280876.tif 000021
【図２０】
2006280876.tif 000022
【図２１】
2006280876.tif 000023
【図２２】
2006280876.tif 000024
【図２３】
2006280876.tif 000025
【図２４】
2006280876.tif 000026
【図２５】
2006280876.tif 000027
【図２６】
2006280876.tif 000028
【図２７】
2006280876.tif 000029
【図２８】
2006280876.tif 000030
【図２９】
2006280876.tif 000031
【図３０】
2006280876.tif 000032
【図３１】
2006280876.tif 000033